【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
光源手段と、該光源手段から出射する画像信号により変調された光束を偏向走査する偏向手段と、該偏向手段にて偏向走査された光束を被走査面上に結像させる結像手段と、を有する走査光学装置であって、
前記結像手段からのゴースト光による被走査面上のゴースト光の発生位置及び露光量を、予め記憶された前記光源手段から出射された光束に対するゴースト光の発生位置及び露光量の関係と前記画像信号に基づき算出するゴースト露光量算出手段と、
前記算出結果に基いて前記光源手段から出射された光束の発光量又は前記光源手段から出射される光束のパルス幅を制御する露光量制御手段と、を有することを特徴とする走査光学装置。
【請求項２】
複数の光源手段と、該複数の光源手段の各々から出射された異なる画像信号により変調された複数の光束を異なる偏向走査面にて偏向走査する偏向手段と、該偏向手段の異なる偏向走査面にて偏向走査された複数の光束を夫々異なる被走査面上に結像させる複数の結像手段と、を有する走査光学装置であって、
前記複数の結像手段の各々からのゴースト光による被走査面上のゴースト光の発生位置及び露光量を、予め記憶された前記複数の光源手段の各々から出射された光束に対するゴースト光の発生位置及び露光量の関係と前記画像信号に基づき算出するゴースト露光量算出手段と、
前記算出結果に基いて前記複数の光源手段の各々から出射された光束の発光量又は前記複数の光源手段の各々から出射される光束のパルス幅を制御する露光量制御手段と、を有することを特徴とする走査光学装置。
【請求項３】
前記ゴースト光は、前記結像手段が有する走査光学素子の内面反射により発生し、前記被走査面上に到達する光を有することを特徴とする請求項１又は２記載の走査光学装置。
【請求項４】
前記ゴースト光は、前記結像手段が有する走査光学素子の表面から反射し、前記偏向手段に入射し、前記被走査面上に到達する光を有することを特徴とする請求項１乃至３記載の何れか一項記載の走査光学装置。
【請求項５】
前記ゴースト光は、前記偏向手段及び前記結像手段が有する走査光学素子を支持する筐体の表面からの光束が前記被走査面上に到達する光を有することを特徴とする請求項１乃至３記載の何れか一項記載の走査光学装置。
【請求項６】
予め記憶された前記光源手段から出射された光束に対するゴースト光の発生位置及び露光量の関係は、主走査方向に関して関連つけられていることを特徴とする請求項１乃至５記載の何れか一項記載の走査光学装置。
【請求項７】
予め記憶された前記光源手段から出射された光束に対するゴースト光の発生位置及び露光量の関係は、主走査方向及び副走査方向に関して関連つけられていることを特徴とする請求項１乃至５記載の何れか一項記載の走査光学装置。
【請求項８】
前記結像手段が有する走査光学素子はプラスチックレンズであることを特徴とする請求項１乃至７記載の何れか一項記載の走査光学装置。
【請求項９】
前記光源手段は独立に変調された複数の光束を出射する光源であることを特徴とする請求項１乃至８記載の何れか一項記載の走査光学装置。
【請求項１０】
前記ゴースト光は前記結像手段が有する走査光学素子の表面から反射した光束が、対向する被走査面上に到達する光を有することを特徴とする請求項２乃至９記載の何れか一項記載の走査光学装置。
【請求項１１】
請求項１乃至１０記載の何れか一項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを備えた画像形成装置。
【請求項１２】
請求項１乃至１０記載の何れか一項に記載の走査光学装置と、前記複数の被走査面に配置された複数の感光体と、前記走査光学装置で走査された光束によって前記感光体上に形成された静電潜像をトナー像として現像する複数の現像器と、前記現像されたトナー像を被転写材に転写する転写器と、転写されたトナー像を被転写材に定着させる定着器とを備えたカラー画像形成装置。
【請求項１３】
請求項１乃至１０記載の何れか一項に記載の走査光学装置と、外部機器から入力したコードデータを画像信号に変換して前記走査光学装置に入力せしめるプリンタコントローラとを備えた画像形成装置。
【請求項１４】
請求項１乃至１０記載の何れか一項に記載の走査光学装置と、外部機器から入力したコードデータを画像信号に変換して前記走査光学装置に入力せしめるプリンタコントローラとを備えたカラー画像形成装置。
【手続補正２】
【補正対象書類名】明細書
【補正対象項目名】００１０
【補正方法】変更
【補正の内容】
【００１０】
上記目的を達成するために、本発明の請求項１の走査光学装置は、光源手段と、該光源手段から出射する画像信号により変調された光束を偏向走査する偏向手段と、該偏向手段にて偏向走査された光束を被走査面上に結像させる結像手段と、を有する走査光学装置であって、
前記結像手段からのゴースト光による被走査面上のゴースト光の発生位置及び露光量を、予め記憶された前記光源手段から出射された光束に対するゴースト光の発生位置及び露光量の関係と前記画像信号に基づき算出するゴースト露光量算出手段と、
前記算出結果に基いて前記光源手段から出射された光束の発光量又は前記光源手段から出射される光束のパルス幅を制御する露光量制御手段と、を有する構成とする。
【手続補正３】
【補正対象書類名】明細書
【補正対象項目名】００１１
【補正方法】変更
【補正の内容】
【００１１】
本発明の請求項２の走査光学装置は、複数の光源手段と、該複数の光源手段の各々から出射された異なる画像信号により変調された複数の光束を異なる偏向走査面にて偏向走査する偏向手段と、該偏向手段の異なる偏向走査面にて偏向走査された複数の光束を夫々異なる被走査面上に結像させる複数の結像手段と、を有する走査光学装置であって、
前記複数の結像手段の各々からのゴースト光による被走査面上のゴースト光の発生位置及び露光量を、予め記憶された前記複数の光源手段の各々から出射された光束に対するゴースト光の発生位置及び露光量の関係と前記画像信号に基づき算出するゴースト露光量算出手段と、
前記算出結果に基いて前記複数の光源手段の各々から出射された光束の発光量又は前記複数の光源手段の各々から出射される光束のパルス幅を制御する露光量制御手段、を有する構成とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】